(57)【要約】      （修正有）【課題】ナス環本体などの連結具本体とベルト取付部材との間で摩擦音を発生せず、かつ組立てを容易にかつ確実に行うことのできる連結具を提供する。【解決手段】連結具１，５ の本体２，５１の基部２２−１，５２ から起立する首部２４及びその先端に軸線中心から外方向に膨出する縮径可能な係着頭部２５を有している。ベルト取付部材３ は、本体の首部を中心に回転可能に連結される。ベルト取付部材 の一部に、係着頭部の挿入により係合可能な貫通孔３６が形成されている。大径孔部３６−２には、首部が挿入可能なリング状部材４ を有し、このリング状部材 は大径孔部に収容される円筒状壁部４１と、同壁部の一端から中心に向けて延在するリング状の係合部４３とを有している。この係合部の内径は係着頭部の縮径時の外径に等しい。【選択図】図１
2008111463.tif 000002
【特許請求の範囲】
【請求項１】
首部（２４）及び同首部の先端に軸線中心から外方向に膨出する縮径可能な係着頭部（２５）を有する連結具本体（２，５０）と、前記首部（２４）を中心に回転可能に連結されるベルト取付部材（３）とを備え、前記ベルト取付部材（３）の一部に、前記係着頭部（２５）の直径よりも小径の小径孔部（３６−１）と、前記小径孔部（３６−１）に段部（３６−３）を介して連結され、前記係着頭部（２５）の直径よりも大径の大径孔部（３６−２）とを備えた貫通孔（３６）を有する連結具であって、
前記貫通孔（３６）の前記大径孔部（３６−２）に収容され、前記首部（２４）が挿通可能なリング状部材（４）を有し、
同リング状部材（４）は、前記大径孔部（３６−２）の内径に等しい外径をもつ円筒状壁部（４１）と、同円筒状壁部（４１）の下端に中心に向けて延在し前記係着頭部（２５）が係着する係合部（４３）とを備えてなる、
ことを特徴とする連結具。
【請求項２】
前記係合部（４３）の内径は前記小径孔部（３６−１）の内径に等しく設定されてなる請求項１記載の連結具。
【請求項３】
前記リング状部材（４）は、その中心から前記壁部（４１）の内周面に向けて放射状に延びる複数のリブ（４２）を備えてなることを特徴とする請求項１又は２に記載の連結具。
【請求項４】
前記リング状部材（４）の高さ（Ｈ１）は、前記大径孔部（３６−２）の高さ（Ｈ３）とほぼ等しく、前記係着頭部（２５）の高さ（ｈ１）は、前記壁部（４１）の高さ（Ｈ２）以下であることを特徴とする請求項１又は２に記載の連結具。
【発明の詳細な説明】
【技術分野】
【０００１】
本発明は、ショルダーバッグ、リュックサックなどの袋物に取り付けられる止具に対し、容易に引掛けて連結することができる合成樹脂製のナス環や、１本のベルトの両端を又は２本のベルトを連結、分離する合成樹脂製のバックルなどの連結具に関し、特にベルトの取付部材と連結具の本体とが相対的に回転自在な連結具に関する。
【背景技術】
【０００２】
従来、フック状のナス環本体とそのナス環本体にベルト取付部材が回転可能に連結された連結具の一つであるナス環は、例えば実公昭６２−２７７０１号（特許文献１）、米国特許第６，２８６，１９０号明細書（特許文献２）などに開示されているように実用化されている。
【０００３】
上記特許文献１のナス環は、ナス環本体とベルト取付部材とを備え、ナス環本体は、首部及びその先端部に軸線の中心から外方向に膨出する縮径可能な係着頭部を有し、ベルト取付部材は前記首部及び前記係着頭部を挿入可能な貫通孔を有している。前記貫通孔は、前記係着頭部の直径よりも小径の小径孔部と、段差部を介して前記小径孔部に連結される前記係着頭部の直径よりも大径の大径孔部とを備えている。ナス環本体の係着頭部を貫通孔の小径孔部側から挿通し、前記段差部に係着させることで、ナス環本体とベルト取付部材とを容易に組み立てられるようにしている。
【０００４】
上記特許文献２のナス環は、ナス環本体とベルト取付部材とを備え、ナス環本体は、首部及びその先端部に軸線の中心から外方向に膨出する係着頭部を有し、前記係着頭部はベルト取付部材の貫通孔を通って、貫通孔の外面に露呈し、係着頭部とベルト取付部材との間にゴムなどの弾性材料からなるリング状の開口部材を介在することで、組立てられる。この開口部材によって、ナス環本体が引っ張られたときの衝撃を吸収するもので、過度の衝撃を受けたときにナス環本体がベルト取付部材から外れるというものである。
【特許文献１】実公昭６２−２７７０１号公報
【特許文献２】米国特許第６，２８６，１９０号明細書
【発明の開示】
【発明が解決しようとする課題】
【０００５】
この種のナス環は、ナス環本体とベルト取付部材とが別々に製造されるので、組立てが確実で容易にできることが求められる。また、回転時に、ナス環本体とベルト取付部材との摩擦の音が発生しないことも求められる。
【０００６】
上記特許文献１に開示されたナス環は、ナス環本体の係着頭部をベルト取付部材の小径孔部と大径孔部とを備えた貫通孔に挿入するだけで容易に組立てが行えるものである。係着頭部は、径方向に拡縮可能な構造を有し、縮径状態で前記小径孔部から挿入し、大径部にて拡径して段差部に係着して、大係部に収容される。したがって、係着頭部は貫通孔の内部に収容されるため、外部に露出せず、見た目もよいものとなる。しかし、強度や磨耗などを考慮してナス環本体およびベルト取付部材に適した材料を選択する必要があるが、採用される材料によっては回転時に耳障りな摩擦音が発生することが多い。
【０００７】
上記特許文献２に開示されたナス環は、ナス環本体、ベルト取付部材、ナス環本体とベルト取付部材との間に介在されるリング状開口部材の３つの構成部材からなり、ナス環本体及びベルト取付部材を金属製とし、リング状開口部材をゴムなどの弾性ある合成樹脂製としている。しかし、上記特許文献１のように大径孔部が形成されるものではないので、三者の組み付けが煩雑な上、係着頭部が外部に露呈して、見た目に優れたものとはならない。また、リング状開口部材は衝撃を吸収することが主目的で配されているが、特に金属製のナス環本体とベルト取付部材との間で回転させるとき、金属とゴムなどの弾性材料との間に発生する耳障りな摩擦音をなくすことは、格別の加工をしないかぎり難しい。
【０００８】
本発明の具体的な目的は、組立てが容易で、且つ係着頭部が外面に露呈せず、連結具本体とベルト取付部材との間の回転によっても摩擦音が発生が防止され、外観的にも美しい連結具を提供することにある。
【課題を解決するための手段】
【０００９】
上記目的は、本発明の基本的な構成である、首部及び同首部の先端に軸線中心から外方向に膨出する縮径可能な係着頭部を有する連結具本体と、前記首部を中心に回転可能に連結されるベルト取付部材とを備え、前記ベルト取付部材の一部に、前記係着頭部の直径よりも小径の小径孔部と、前記小径孔部に段部を介して連結され、前記係着頭部の直径よりも大径の大径孔部とを備えた貫通孔を有する連結具であって、前記貫通孔の前記大径孔部に収容され、前記首部が挿通可能なリング状部材を有し、同リング状部材は、前記大径孔部の内径に等しい外径をもつ円筒状壁部と、同円筒状壁部の下端に中心に向けて延在し前記係着頭部が係着する係合部とを備えていることを特徴とする連結具によって効果的に達成される。
【００１０】
ここで、本発明に係る連結具のリング状部材にあっては、通常、前記係合部の内径を前記ベルト取付部材の前記小径孔部の内径に略等しく設定することが望ましく、また前記リング状部材に、その中心から前記壁部の内周面に向けて延びる複数のリブを形成することが好ましい。
【００１１】
また、本発明に係る連結具の前記リング状部材の高さは、前記大径孔部の高さとほぼ等しく、前記係着頭部の高さは、前記壁部の高さ以下とすることが好ましい。
【発明の効果】
【００１２】
本発明に係る連結具は、連結具本体、ベルト取付部材及びリング状部材の３つの部材が独立しており、ベルト取付部材に形成された前記貫通孔の前記大径孔部に段差を介して前記リング状部材が収容される。このリング状部材は前記連結具本体の係着頭部が挿入可能に開口しており、その構造は前記貫通孔の大径孔部の内周面に沿って立設する円筒状壁部と、同円筒状壁部の一端に中心に向けて延在し前記係着頭部が係着する係合部とを備えている。
【００１３】
いま、連結具本体の係着頭部を前記貫通孔の小係孔部に縮径状態で挿入し、大径部に収容されているリング状部材の開口を通して円筒状壁部まで挿通させると、そこで係着頭部は弾性的に拡径し、前記リング状部材の内径側に延在する係合部に係着する。このときの組立手順は、先に大径孔部にリング状部材を嵌め込んだあとに係着頭部を段差部を介してリング状部材の開口に挿入してもよく、或いは係着頭部を大径孔部に挿通させたのち、反対側からリング状部材を大径孔部に押し込むことによっても組み立てることが可能である。
【００１４】
いずれにしても、連結具を組み立てたのちには、係着頭部はリング状部材の円筒状壁部内の収容空間に収容されている。その結果、係着頭部は円筒状壁部から外面に露出することなく、すなわち前記ベルト取付部材の貫通孔からも外部に露呈することがなく、見た目に優れたものとなる。また、連結具本体とベルト取付部材の大径孔部との間にリング状部材を介在させることで、機能に応じてそれぞれの材料を適宜選択することができるため、幅広い要求に応えることができる。さらに、リング状部材の前記円筒状壁部の外径を前記ベルト取付部の大径孔部の内径にほぼ一致させているため、例えばリング状部材の係合部を下にして大径孔部に収容する際に、大径孔部の内壁面がガイド面となって、安定した姿勢で挿入することができ、大径孔部に収容後も大係孔部と小係孔部との間の段差部に前記リング状部材の係合部が載置され、連結具本体の係着頭部が安定した状態をその姿勢を維持できるので、組立てを確実に行なうことができる。
【００１５】
本発明にあって、前記リング状部材の前記係合部の内径を前記ベルト取付部材の前記小径孔部の内径と等しくしておくと、連結具本体の係着頭部がリング状部材の開口に挿入しやすくなる。更に、前記リング状部材は、その中心から前記壁部の内周面に向けて延びる複数のリブを備えている場合は、リング状部材の中心方向への補強と形状保持がなされ、収容される貫通孔の大径孔部の変形を防止する効果もある。
【００１６】
また、リング状部材の高さは、大径孔部の高さとほぼ等しく、係着頭部の高さは、壁部の高さ以下であることで、大径孔部にリング状部材を収容し、その面を平面板上に載置するだけで、リング状部材が大径孔部にしっかりと収容でき、その状態で組立てを行うと、係着頭部の高さが壁部の高さ以下であるので、係着頭部が外面に出ることがなく、容易に組立てが行うことができる。
【発明を実施するための最良の形態】
【００１７】
以下、本発明の実施形態を代表的な実施例に基づき図面を参照しながら具体的に説明する。なお、本発明は、以下で説明する実施例に限定されるものではなく、特許請求の範囲において多様な変更が可能である。
【実施例１】
【００１８】
図１は、本発明の実施例１に係る連結具の代表例であるナス環の各部品を分解した斜視図である。図２は、同ナス環のリング状部材の一部を切断して示す拡大斜視図であり、図３は、同ナス環の構成部材の一部を破断して示す分解正面図、図４は、組立て状態にある同ナス環の一部を破断して示す要部正面図である。図５は、図４のV-V 線に沿った断面図である。なお以下の説明では、図１に示す、ナス環本体２における係着頭部２５からフック部２２へ向かう方向を下方向とし、ベルト取付部材３の長手方向に沿った左右の方向を左右方向とする。
【００１９】
本発明のナス環１は、連結具本体としてのナス環本体２と、ベルト等の端部に装着されるベルト取付部材３と、リング状部材４とを備え、前記ベルト取付部材３は前記リング状部材４を介して前記ナス環本体２に対して相対的に回転可能に連結される。
【００２０】
ナス環本体２とベルト取付部材３とには、例えばポリアセタール（ＰＯＭ）や、ポリエチレンテレフタレート（ＰＥＴ）などの合成樹脂が使用され、リング状部材４には、ポリアミド（ＰＡ）や、ポリブチレンテレフタレート（ＰＢＴ）などの合成樹脂、或いは、亜鉛やアルミなどの金属を使用することができる。ナス環本体２及びベルト取付部材３には、荷重などによる変形を起こしにくい材料を選択し、リング状部材４にはナス環本体２及びベルト取付部材３の材料に対して潤滑性のよい材料を選択して使用することが好ましい。
【００２１】
かかる材料の組み合わせにより、ナス環本体２とベルト取付部材３とに相対的な引っ張りや回転がなされても、強固で且つ摩擦音の発生が少ないナス環を製作することができる。摩擦音は、相手材料と接触する部分で互いの材料が凝着し、その状態で摺動したときに、凝着部分がすべり、磨耗することにより発生することが要因として考えられる。特にポリアセタール同士は、凝着を生じやすいことが知られている。従って、回転摩擦部の摩擦材同士をポリアセタールで構成することは避けるべきである。ただし、本発明では上記材料以外にも、多様な組み合わせが採用できる。
【００２２】
図１及び図３に示すように、ナス環本体２は、フック２１の平円板状の基端部２２−１の中心から上方に突出する首部２４と、同首部先端の軸線中心から放射状に外側に膨出する縮径可能な複数の係着頭部２５とを有している。ここで前記軸線中心とは、円柱状の前記首部２４の中心を通り、その首部２４の突出方向に延びる線を意味する。上記ベルト取付部材３が回転する回転中心でもある。係着頭部２５及び首部２４は、割溝２６によって分割された複数の分割片２７から構成され、各分割片２７はフック２１の上記基端部２２−１の中央から起立している。本実施例にあって、前記割溝２６は平面視で十字状を呈し、４個の分割片２７が形成されている。
【００２３】
フック２１は、基端部２２−１の下方に略Ｊ字状に延びるフック部２２を備え、フック部２２の開口は抜止片２３により弾性的に閉じられる。抜止片２３は、前記基端部２２−１からフック部２２の先端２２−２に向けて一体に形成され、その先端を前記フック部２２の先端２２−２の内面に係止されている。係着頭部２５は、首部２４の上方向に高さｈ１を有している。
【００２４】
ベルト取付部材３は矩形枠状を呈しており、水平方向に延びる主体部３１と、主体部３１の両端から垂直下方に平行に延び、自由端部に互いに対向して形成された軸孔３２−１，３３−１をもつ一対の脚部３２，３３と、左右端部に軸部３４−１を有し、同軸端部３２，３３が前記脚部３２，３３の軸孔３２−１，３３−１に回転自在に嵌入され、主体部３１に平行な細長の支持杆３４とを備えている。勿論、主体部３１、脚部３２，３３及び支持杆３４の全てを一体に成形した矩形状のベルト取付部材とすることもできる。また、図ではベルト取付部材３を長方形状に形成しているが、正方形や円形、半円形に形成することもできる。
【００２５】
支持杆３４は、杆部本体３５の両端部からそれぞれ外方に延在する軸部３４−１，３４−１を有するとともに、前記杆部本体３５の長手方向中央部には前後方向に膨出する円板状膨出部３５−１を有している。その円板状膨出部３５−１には、上下に貫通する貫通孔３６が形成されている。貫通孔３６は、係着頭部２５の拡径時の外径よりも小径で首部２４が回転自在に挿通される小径孔部３６−１と、後述するリング状部材４が収容され、係着頭部２５の拡径時の外径よりも大きい内径を有し、リング状部材４の外径とほぼ等しい大径孔部３６−２とを備えている。ここで、ほぼ等しいとは、大径孔部３６−２の孔径はリング状部材４ががたつきなく収容できればよいので、リング状部材４の外径に等しいことを意味することは当然として、外径より僅かに大きい場合をも含んでいる。
【００２６】
小径孔部３６−１と大径孔部３６−２とは、段差部３６−３を介して連結して形成されている。また、図３に示すように、大径孔部３６−２の高さＨ３は、後述するリング状部材４の高さＨ１とほぼ等しい。これによって、大径孔部３６−２に嵌着されたリング状部材４が外部に目立つように露出することがない。高さＨ１と高さＨ３がほぼ等しいとしたのは、リング状部材４が外部に突出して見えないような寸法であればよいことを意味する。高さＨ３は、段差部３６−３の段差面から支持杆３４の下面までの高さのことである。
【００２７】
リング状部材４は、外周面が平滑な円筒状を呈しており、同リング状部材４は前記大径孔部３６−２の内径に等しい外径をもつ円筒状壁部４１と、同円筒状壁部４１の下端に中心に向けて延在し前記係着頭部２５が係着するリング状の係合部４３とを備えている。前記円筒状壁部４１の内径は、前記係着頭部２５の拡径時に係着頭部２５を収容可能な大きさをもつ。リング状係合部４３の内径は、前記係着頭部２５の拡径時の外径よりも小さく、前記首部２４が遊挿される内径を有している。本実施例では、更にリング状部材４の中心から円筒状壁部４１の内周面に向けて放射状に延びる複数のリブ４２が形成されており、同リブ４２によってリング状部材４の内部空間を複数の空間に区分けしている。
【００２８】
図示例にあっては、それぞれのリブ４２は約９０度の角度で中心で交わり、平面視で十字状を呈している。このリブ４２で区分けされる空間は、上記分割片２７と同数で、それらが挿通可能な空間であるとともに、リブ４２の幅は割溝２６の幅より小さく、割溝２６内に入りこむ。リング状部材４は高さＨ１を有する。高さＨ１はリング状部材４の下面から上面までの高さであり、高さＨ２は係合部４３の上面からリング状部材４の上面までの高さを示す。
【００２９】
図４に示すように、リング状部材４が、ベルト取付部材３の大径孔部３６−２に収容される。リング状部材４の係合部４３の内径は、ベルト取付部材３の小径孔部３６−１の内径とほぼ等しい長さに設定され、前記係合部４３と前記小径孔部３６−１とを合わせた高さは、首部２４の長さに等しいか、または首部２４の長さより僅かに低く設定されている。前記係合部４３及び前記小径孔部３６−１の内径は、係着頭部２５の弾性変形による縮径状態にあるときに挿通可能な外径にほぼ等しいか、僅かに大きな外径であり、係着頭部２５が縮径状態でスムーズに挿入できる内径に設計されている。円筒状壁部４１の内径は、前記係着頭部２５の常態、すなわち拡径状態にあるときの外径に等しく、クリヤランスが残る程度の大きさに設定されていればよい。図３に示すように、係着頭部２５の高さｈ１は、円筒状壁部４１の高さＨ２以下に設定され、正面視で係着頭部２５の頂部が見えず、外部から容易に触ることができないようにされる。また、組立てられた状態では、係着頭部２５の高さｈ１は、係合部４３の係合面から円筒状壁部４１の上面までの高さと同じである。また、円筒状壁部４１の外郭高さＨ２は、大径孔部４５の高さと同じである。
【００３０】
次に、ナス環の組立て手順を説明する。まず、リング状部材４をベルト取付部材３の大径孔部３６−２に収容する。このとき、リング状部材４の外周面は、大径孔部３６−２の内周面と対面する。そして、小径孔部３６−１側からナス環本体２の係着頭部２５を弾性変形により縮径させながら小径孔部３６−１及びリング状部材４の内径部を挿通して、係着頭部２５の係着面がリング状部材４の係合部４３を越えると、係着頭部２５が弾性復帰して拡径して係合部４３に係合する。図４に示すように、この係合状態で係着頭部２５の外周面と大径孔部３６−２の内壁面との間にリング状部材４が介在する。このように、係着頭部２５と大径孔部３６−２の内壁面との間にリング状部材４が介在するため、リング状部材４の材料をナス環本体２とベルト取付部材３との材料に対して潤滑性をもつものが選択でき、摩擦音の発生を防止することができる。また、円筒状壁部４１が大径孔部３６−２に嵌挿されていることによって、ベルト取付部材３に形成されている貫通孔が補強される効果もある。
【００３１】
また、大径孔部３６−２の高さＨ３は、リング状部材４の高さＨ１とほぼ等しく、かつ係着頭部２５の高さｈ１は、リング状部材４の係合部４３の係着面から円筒状壁部４１の上端までの高さＨ２以下に設定したことで、見た目に優れることに加え、ナス環本体２とリング状部材４を収容したベルト取付部材３とを組立てるときに、特別な治具を使用することなく簡単に組立てられるものである。つまり、大径孔部３６−２にリング状部材４を収容し、その係合部４３の下面を小径孔部３６−１と大径孔部３６−２との段差部３６−３に載置するだけで、リング状部材４が大径孔部３６−２に確実にかつしっかりと収容でき、係着頭部２５を小径孔部３６−１側から挿入しても、係着頭部２５の先端が係合部４３の内径面と干渉することなく簡単に組立てを行うことができる。
【００３２】
次に、リング状部材４のリブ４２について具体的に説明する。図５は図４のV-V 線に沿った矢視断面を示している。ナス環本体２のフック部２２とベルト取付部材３とが離間する方向に引張り荷重が加わると、支持杆３４の中央部分が下方に湾曲し、円状断面の貫通孔３６が、支持杆３４の長手方向の径が狭まった楕円形状に変形しようとする。しかし、リング状部材４の内周間に延在するリブ４２によって、円筒状壁部４１の変形を阻止し、結果として貫通孔３６の変形が防止される。また、リブ４２は円筒状壁部４１と一体に形成されているので、貫通孔３６の変形しようとする力をリブ４２及び円筒状壁部４１で同時に受けることができる。
【００３３】
例えば、図５に示す状態から４５度回転した状態では、リブ４２は変形する方向である支持杆３４の長手方向と平行ではないが、貫通孔３６の変形を先ず円筒状壁部４１が受け、その力を円筒状壁部４１の空洞内に形成されたリブ４２で受けるため、貫通孔３６の変形が防止される。こうして貫通孔３６の変形が防止されることにより係着頭部２５の係合が維持され、ナス環本体２とベルト取付部材３とが外れにくくなり、係着強度の強いものとなる。ここでの係着強度が強いとは、ナス環本体２とベルト取付部材３との係合力を確保する強さをいい、係合が外れにくいことを意味する。
【実施例２】
【００３４】
次に、本発明の実施例２に係る連結具としてのバックル５について説明する。なお、以下の実施例２の説明において、上述の実施例１と同様の構成を有する部材については、同じ符号と名称を用いている。そのため、それらの部材の詳細な説明を省略することにする。ここで、図６は実施例２に係るバックル５を示した斜視図である。
【００３５】
本実施例２に係るバックル５は、雄部材５１と、雄部材５１を係止する雌部材５４を備えたバックル本体５０と、バックル本体５０に回転可能に支持されるベルト取付部材３とを備えている。雌部材５４は、首部２４及びその先端に軸線中心から外方向に膨出する縮径可能な係着頭部２５を有し、前記係着頭部２５とは反対側の雌部材本体５５には、前記雄部材５１が挿入係止される。前記係着頭部２５及び前記首部２４は、割溝２６によって分割される３個の分割片２７から構成される。雄部材５１はベルトの取付け部である基部５２から略平行に突出する２本の係合脚部５３を備え、前記係合脚部５３の係止部５３−１が雌部材５４に係止され、同係止部５３−１は雌部材５４の両側面の係着開口５５−１から外面に露出する。
【００３６】
前記雌部材本体５５は、正面視で中央部の左右側面が内側に湾曲して凹んだ鼓状の偏平箱体からなり、その左右の凹み部側面に上記係着開口５５−１が形成され、上記係着頭部２５の反対側端面には矩形状に開口する脚部挿脱開口５５−２が形成されている。これらの係着開口５５−１及び脚部挿脱開口５５−２は、雌部材本体５５の内部空洞と連通している。一方の雄部材５１は、一端に図示せぬベルト端部を固着するベルト通しを有する基部５２と、同基部５２から位置方向に略平行に延出する左右係合脚部５３とを備えている。
【００３７】
この左右係合脚部５３を上記雌部材本体５５の前記脚部挿脱開口５５−２から内部に挿入すると、その係止部５３−１が雌部材本体５５の内壁面により接近方向に押されて、左右脚部が弾性的に変形する。更に挿入を続けると、前記左右係合脚部５３の係止部５３−１が雌部材５４の左右両側面の係着開口５５−１に達し、そこで左右係合脚部５３は押圧力から開放されて弾性復帰し、左右の前記係着開口５５−１と係合する。以上の雄部材５１及び雌部材本体５５は、一般的な構造であるため、これ以上の詳しい説明は省略する。なお、この雄部材５１及び雌部材本体５５の形状及び構造は、図示例に限定されるものではなく、従来公知の構造は当然として、本発明に特有な上記構成以外の部分で、将来にわたり開発されるバックルの形状及び構造についても適用が可能である。
【００３８】
本実施例２と上述の実施例１とは、前者がバックルであるのに対して後者がナス環である点で大きく異なるが、その他の構造上の相違点は、係着頭部２５及び首部２４が３個の分割片２７で形成されていることと、リング状部材４のリブ４２が、その中心から内周面に向けて放射状に延びる３本のリブからなる以外は、実質的に変わるところはない。したがって、壁部４１の高さＨ２、リング状部材４の高さＨ１，第２大径孔部３６−２の高さＨ３、係着頭部２５の高さｈ１の関係は実施例１と同じである。
【００３９】
この実施例２においても、バックル５の両側に取り付けたベルトが引っ張られたとき、貫通孔３６がバックルの幅方向に狭まるようになるのを、壁部４１とその内周に設けたリブ４２とで耐える構造となっています。どの回転位置でも同様の効果を得るために、リブ４２は約１２０度の等角度で配置されることが好ましい。また本実施例では、雌部材５４にだけが係着頭部２５を有しているが、雌部材５４に代えて雄部材５１に係着頭部２５を形成してもよく、或いは雄部材５１及び雌部材５４の双方に係着頭部２５を形成するようにしてもよい。
【００４０】
上記リング状部材４に設けるリブ４２の円筒状壁部４１との連結部分は、円筒状壁部４１をその中心を通る直線にて二分割したとき、リブ４２が直線状で且つその一端が少なくとも分割された二つの半円弧上に存在するように、特に円筒状壁部４１の中心に関して対称な部位となるように設けることが望ましい。かかる構成により、円筒状壁部４１が、その直径が狭まる方向に力を受けたとき、直線状のリブ４２の両端が円筒状壁部４１を支持することになるため、より強い力に耐えることができるようになる。
【００４１】
また、上記実施例１及び実施例２のリング状部材４は、内周にリブ４２を備える構造であったが、リング状部材４に強度を求めない場合や、その材料自体に強度がある場合には、リブを設ける必要はない。
【産業上の利用可能性】
【００４２】
本発明は、バッグ、袋物などに使用されるナス環やバックルなどに適用される。
【図面の簡単な説明】
【００４３】
【図１】実施例１に係るナス環の分解斜視図である。
【図２】同上ナス環のリング状部材の拡大斜視図である。
【図３】同上ナス環の分解正面図である。
【図４】同上ナス環を組立てた状態を表す一部切欠して示す正面図である。
【図５】同上ナス環の図４におけるV-V 断面図である。
【図６】実施例２に係るバックルの斜視図である。
【符号の説明】
【００４４】
１            ナス環（連結具）
２            ナス環本体
２１          フック
２２          フック部
２２−１      基端部
２２−２      先端
２３          抜止片
２４          首部
２５          係着頭部
２６          割溝
２７          分割片
３            ベルト取付部材
３１          主体部
３２、３３    脚部
３２−１      軸孔
３３−１      軸孔
３４          支持杆
３４−１      軸部
３５          杆部本体                                                          ３５−１      円板状膨出部
３６          貫通孔
３６−１      小径孔部
３６−２      大径孔部
３６−３      段差部
４            リング状部材
４１          円筒壁部
４２          リブ
４３          係合部
５            バックル（連結具）
５０          バックル本体
５１          雄部材
５２          基部
５３          係合脚部
５３−１      係止部
５４          雌部材
５５          雌部材本体
５５−１      係着開口
５５−２      挿脱開口
【図１】
2008111463.tif 000003
【図２】
2008111463.tif 000004
【図３】
2008111463.tif 000005
【図４】
2008111463.tif 000006
【図５】
2008111463.tif 000007
【図６】
2008111463.tif 000008